(57)【要約】【課題】運転操作の負担を軽減する機能を充分に利用していないにもかかわらず、ニュース等の娯楽情報の提供を指示する場合にあっても、適切に娯楽情報を提供できるようにする。【解決手段】娯楽情報を取得する娯楽情報取得部４と、車両情報を取得する車両情報取得部５と、運転操作の負担を軽減する機能の設定を指示する車両制御部３と、娯楽情報の表示に供する表示部２と、表示部２を制御する制御部６とを備える。制御部６は、娯楽情報を表示部２で表示する場合、運転操作の負担を軽減する機能の設定を指示して、運転操作の負担を軽減する度合いを増大させる。【選択図】図１
2020032805.tif 000002
【特許請求の範囲】
【請求項１】
娯楽情報を取得する娯楽情報取得部と、
車両情報を取得する車両情報取得部と、
運転操作の負担を軽減する機能の設定を指示する車両制御部と、
前記娯楽情報の表示に供する表示部と、
前記表示部を制御する制御部とを備え、
前記制御部は、
前記娯楽情報の表示指示により前記娯楽情報取得部で前記娯楽情報を取得して前記表示部で表示するようにして、
前記表示部で前記娯楽情報を表示するかを判定し、判定結果に基いて、前記娯楽情報を前記表示部で表示する場合、前記車両制御部により、前記運転操作の負担を軽減する機能の設定を指示して、前記運転操作の負担を軽減する度合いを増大させる
車両用表示装置。
【請求項２】
前記制御部は、
前記判定結果に基いて、前記運転操作の負担を軽減する度合いを増大させるようにして、前記運転操作の負担を軽減する度合いが設定可能な最大値である場合、当該設定可能な最大値を維持するように、前記車両制御部により、前記運転操作の負担を軽減する機能の設定を指示する
請求項１に記載の車両用表示装置。
【請求項３】
前記制御部は、
前記表示部における前記娯楽情報の表示、非表示を示す表示状態情報を記憶部に記録して保持するようにして、前記表示部における前記娯楽情報の表示開始及び表示終了時、前記記憶部に記録した前記表示状態情報を更新し、
前記記憶部に記録した前記表示状態情報により、前記表示部で前記娯楽情報を表示するかを判定する
請求項１又は請求項２に記載の車両用表示装置。
【請求項４】
娯楽情報を取得する娯楽情報取得ステップと、
車両情報を取得する車両情報取得ステップと、
運転操作の負担を軽減する機能の設定を指示する車両制御ステップと、
前記娯楽情報の表示に供する表示部を制御する制御ステップとを備え、
前記制御ステップは、
前記娯楽情報の表示指示により前記娯楽情報取得ステップで前記娯楽情報を取得して前記表示部で表示するようにして、
前記表示部で前記娯楽情報を表示するかを判定し、判定結果に基いて、前記娯楽情報を前記表示部で表示する場合、前記車両制御ステップにより、前記運転操作の負担を軽減する機能の設定を指示して、前記運転操作の負担を軽減する度合いを増大させる
車両用表示装置の制御方法。
【請求項５】
演算処理回路における実行により所定の処理手順を実行させる車両用表示装置の制御プログラムにおいて、
前記処理手順は、
娯楽情報を取得する娯楽情報取得ステップと、
車両情報を取得する車両情報取得ステップと、
運転操作の負担を軽減する機能の設定を指示する車両制御ステップと、
前記娯楽情報の表示に供する表示部を制御する制御ステップとを備え、
前記制御ステップは、
前記娯楽情報の表示指示により前記娯楽情報取得ステップで前記娯楽情報を取得して前記表示部で表示するようにして、
前記表示部で前記娯楽情報を表示するかを判定し、判定結果に基いて、前記娯楽情報を前記表示部で表示する場合、前記車両制御ステップにより、前記運転操作の負担を軽減する機能の設定を指示して、前記運転操作の負担を軽減する度合いを増大させる
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、車両では、液晶表示装置による車両用表示装置が、ルートガイド等の情報提供に利用されている。
また近年、車両用表示装置に関して、ヘッドアップディスプレイ装置によりドライバーの前方空間に、虚像により種々の画像を表示する工夫が提案されている（例えば特許文献１）。このようなヘッドアップディスプレイ装置による車両用表示装置は、ウインドシールドを介して前方を視認したドライバーの視界に、種々の画像情報を表示することができる。
【０００３】
また近年、車両に関して、自動運転機能に代表されるドライバーの運転操作の負担を軽減する工夫が種々に提案されている。
【先行技術文献】
【特許文献】
【０００４】
【特許文献１】特表２０１６−５３３３０２号公報
【発明の概要】
【発明が解決しようとする課題】
【０００５】
ところでドライバーの運転操作の負担を軽減する構成の機能を充分に利用すれば、車両が走行中の場合でも、例えば映画等の動画による画像情報、ニュース、電子メール等のテキスト、静止画、動画による画像情報（以下、適宜、娯楽情報と呼ぶ）を提供することができ、車両での移動を一段と楽しいものにすることができると考えられる。
しかしながらドライバーにおいては、運転操作の負担を軽減する機能を使用することなく、運転操作を楽しんでいる場合も予測され、このような場合にあっては、運転操作の負担を軽減する機能を充分に利用していないにもかかわらず、ニュース等の娯楽情報の提供を指示する場合も予測される。
【０００６】
本発明は以上の点を考慮してなされたものであり、運転操作の負担を軽減する機能を充分に利用していないにもかかわらず、ニュース等の娯楽情報の提供を指示する場合にあっても、適切に娯楽情報を提供することができる車両用表示装置、車両用表示装置の制御方法、車両用表示装置の制御プログラムを提案することを目的とする。
【課題を解決するための手段】
【０００７】
係る課題を解決するため、請求項１の発明に係る車両用表示装置は、
娯楽情報を取得する娯楽情報取得部と、
車両情報を取得する車両情報取得部と、
運転操作の負担を軽減する機能の設定を指示する車両制御部と、
前記娯楽情報の表示に供する表示部と、
前記表示部を制御する制御部とを備え、
前記制御部は、
前記娯楽情報の表示指示により前記娯楽情報取得部で前記娯楽情報を取得して前記表示部で表示するようにして、
前記表示部で前記娯楽情報を表示するかを判定し、判定結果に基いて、前記娯楽情報を前記表示部で表示する場合、前記車両制御部により、前記運転操作の負担を軽減する機能の設定を指示して、前記運転操作の負担を軽減する度合いを増大させる。
【０００８】
請求項１の構成によれば、娯楽情報の提供の開始により、運転操作の負担を軽減する度合いを増大させることができる。これにより特段、運転操作の負担を軽減する機能に関する操作を実行することなく、娯楽情報を安全に提供することができる。これにより運転操作の負担を軽減する機能を充分に利用していないにもかかわらず、ニュース等の娯楽情報の提供を指示する場合にあっても、適切に娯楽情報を提供することができる。
【０００９】
また請求項２の発明に係る車両用表示装置は、
請求項１の構成において、
前記制御部は、
前記判定結果に基いて、前記運転操作の負担を軽減する度合いを増大させるようにして、前記運転操作の負担を軽減する度合いが設定可能な最大値である場合、当該設定可能な最大値を維持するように、前記車両制御部により、前記運転操作の負担を軽減する機能の設定を指示する。
【００１０】
請求項２の構成によれば、充分な安全性を確保し続けるようにして娯楽情報を提供することができる。
【００１１】
また請求項３の発明に係る車両用表示装置は、
請求項１又は請求項２の構成において、
前記制御部は、
前記表示部における前記娯楽情報の表示、非表示を示す表示状態情報を記憶部に記録して保持するようにして、前記表示部における前記娯楽情報の表示開始及び表示終了時、前記記憶部に記録した前記表示状態情報を更新し、
前記記憶部に記録した前記表示状態情報により、前記表示部で前記娯楽情報を表示するかを判定する。
【００１２】
請求項３の構成によれば、表示状態を常時把握して、運転操作の負担を軽減する度合いを適切に設定することができる。
【００１３】
請求項４の発明は、車両用表示装置の制御方法において、
娯楽情報を取得する娯楽情報取得ステップと、
車両情報を取得する車両情報取得ステップと、
運転操作の負担を軽減する機能の設定を指示する車両制御ステップと、
前記娯楽情報の表示に供する表示部を制御する制御ステップとを備え、
前記制御ステップは、
前記娯楽情報の表示指示により前記娯楽情報取得ステップで前記娯楽情報を取得して前記表示部で表示するようにして、
前記表示部で前記娯楽情報を表示するかを判定し、判定結果に基いて、前記娯楽情報を前記表示部で表示する場合、前記車両制御ステップにより、前記運転操作の負担を軽減する機能の設定を指示して、前記運転操作の負担を軽減する度合いを増大させる。
【００１４】
請求項４の構成によれば、娯楽情報の提供の開始により、運転操作の負担を軽減する度合いを増大させることができる。これにより特段、運転操作の負担を軽減する機能に関する操作を実行することなく、娯楽情報を安全に提供することができる。これにより運転操作の負担を軽減する機能を充分に利用していないにもかかわらず、ニュース等の娯楽情報の提供を指示する場合にあっても、適切に娯楽情報を提供することができる。
【００１５】
請求項５の発明は、演算処理回路における実行により所定の処理手順を実行させる車両用表示装置の制御プログラムにおいて、
前記処理手順は、
娯楽情報を取得する娯楽情報取得ステップと、
車両情報を取得する車両情報取得ステップと、
運転操作の負担を軽減する機能の設定を指示する車両制御ステップと、
前記娯楽情報の表示に供する表示部を制御する制御ステップとを備え、
前記制御ステップは、
前記娯楽情報の表示指示により前記娯楽情報取得ステップで前記娯楽情報を取得して前記表示部で表示するようにして、
前記表示部で前記娯楽情報を表示するかを判定し、判定結果に基いて、前記娯楽情報を前記表示部で表示する場合、前記車両制御ステップにより、前記運転操作の負担を軽減する機能の設定を指示して、前記運転操作の負担を軽減する度合いを増大させる。
【００１６】
請求項５の構成によれば、娯楽情報の提供の開始により、運転操作の負担を軽減する度合いを増大させることができる。これにより、特段、運転操作の負担を軽減する機能に関する操作を実行することなく、娯楽情報を安全に提供することができる。これにより運転操作の負担を軽減する機能を充分に利用していないにもかかわらず、ニュース等の娯楽情報の提供を指示する場合にあっても、適切に娯楽情報を提供することができる。
【発明の効果】
【００１７】
本発明の車両用表示装置、車両用表示装置の制御方法、車両用表示装置の制御プログラムによれば、運転操作の負担を軽減する機能を充分に利用していないにもかかわらず、ニュース等の娯楽情報の提供を指示する場合にあっても、適切に娯楽情報を提供することができる。
【図面の簡単な説明】
【００１８】
【図１】本発明の実施形態に係る車両用表示装置を示すブロック図である。
【図２】図１の車両用表示装置における表示開始時の処理手順を示すフローチャートである。
【図３】図１の車両用表示装置における表示終了時の処理手順を示すフローチャートである。
【図４】図１の車両用表示装置における運転操作の負担を軽減する度合いの設定の説明に供するフローチャートである。
【発明を実施するための形態】
【００１９】
〔第１実施形態〕
図１は、本発明の第１実施形態に係る車両用表示装置１を示す図である。
この車両用表示装置１は、ドライバーの運転操作の負担を軽減する構成を備えた車両に搭載され、搭乗者（主としてドライバー）の指示により各種の娯楽情報を搭乗者に提供する。
ここで車両用表示装置１は、いわゆるヘッドアップディスプレイ装置による表示装置であり、ウインドシールドを介して前方を視認した搭乗者の視界に、虚像により各種の画像情報を表示し、これにより娯楽情報を提供する。
なお車両用表示装置１は、ヘッドアップディスプレイ装置による構成に限らず、ヘッドマウントディスプレイ装置、液晶表示パネル等の画像表示パネルによる画像表示装置等、各種の構成を広く適用することができる。
なお車両用表示装置１は、この実施形態では車両に据え付けて使用されるものの、搭乗者が携帯する情報携帯端末により構成するようにしてもよい。
【００２０】
車両用表示装置１は、表示部２、車両制御部３、娯楽情報取得部４、車両情報取得部５、制御部６、操作部７を備える。また制御部６は、判定部６Ａ、記憶部６Ｂを備える。
車両用表示装置１は、車両用表示装置の制御プログラムを演算処理回路で実行することにより、これらの機能ブロックが構成される。
これによりこの制御プログラムの実行による処理手順は、車両制御部３、娯楽情報取得部４、車両情報取得部５、制御部６、判定部６Ａ、記憶部６Ｂにそれぞれ対応して、対応する処理を実行する車両制御ステップ、娯楽情報取得ステップ、車両情報取得ステップ、制御ステップ、判定ステップ、記憶ステップを備える。
【００２１】
表示部２は、表示に供する画像を虚像により形成する部位であり、画像表示パネル、この画像表示パネルの周辺回路、この画像表示パネルの出射光をウインドシールドに向けて出射する光学系等により形成される。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００２２】
車両制御部３は、制御部６の制御による車両のコントローラとのデータ通信により、車両に設けられた運転操作の負担を軽減する機能の設定を指示する。
ここでこの運転操作の負担を軽減する機能は、例えばレベル「０」からレベル「５」で規定されている自動運転機能であり、この車両用表示装置１が搭載される車両に設けられている機能である。なおこの運転操作の負担を軽減する機能は、このようなレベル「０」からレベル「５」で規定されている自動運転機能に限らず、種々の機能を広く適用することができる。
これにより車両用表示装置１は、搭載された車両について、運転操作の負担を軽減する機能を種々に設定できるように構成される。
【００２３】
娯楽情報取得部４は、娯楽情報を取得する構成であり、制御部６の制御により、例えばスマートフォン、カーナビゲーション装置等との間でデータ通信することにより、搭乗者の指示した娯楽情報を取得して出力する。
【００２４】
車両情報取得部５は、車速、各種の警報等の車両情報を車両のコントローラから取得して出力する。この実施形態では、この車両情報に、運転操作を補助する設定の度合いの情報（以下、ステータス情報と呼ぶ）が含まれ、これにより車両用表示装置１では、運転操作を補助する機能の設定状況を把握できるように構成される。
【００２５】
制御部６は、表示部２、車両制御部３等の動作を制御する構成であり、搭乗者の指示により娯楽情報取得部４を制御して搭乗者の指示した娯楽情報の取得を開始し、さらにこの娯楽情報の表示部２での表示を開始する。また搭乗者の指示により、さらには娯楽情報の終了により、娯楽情報の表示を終了する。
【００２６】
操作部７は、搭乗者の指示を入力するものであり、特に搭乗者による娯楽情報の表示指示を入力可能である。操作部７は、搭乗者の指示を入力可能な公知の技術を適用でき、押しボタンスイッチ、タッチスイッチ、音声入力部、ジェスチャ検出部、視線検出部などを適宜採用できる。また、娯楽情報の表示指示を行う手段としては、さらにタイマーを用いて所定時間経過後あるいは所定時刻で娯楽情報の表示指示が行われてもよい。
【００２７】
このようにして娯楽情報の表示を開始し、さらには終了するようにして、制御部６は、判定部６Ａにより、表示部２で娯楽情報を表示するか否かを判定する。またこの判定結果に基いて、娯楽情報を表示部２で表示する場合、車両情報取得部５で取得されるステータス情報により、現在の車両における運転操作の負担を軽減する機能の設定度合を検出し、この検出結果に基いて、車両制御部３により、運転操作の負担を軽減する機能の設定を指示して、運転操作の負担を軽減する度合いを増大させる。
これにより車両用表示装置１では、特段、ドライバーが運転操作の負担を軽減する機能に関する操作を実行することなく、娯楽情報を安全に提供することができる。これにより運転操作の負担を軽減する機能を充分に利用していないにもかかわらず、ニュース等の娯楽情報の提供を指示する場合にあっても、適切に娯楽情報を提供することができる。
【００２８】
このようにして娯楽情報を提供するようにして、制御部６は、車両情報取得部５で取得されるステータス情報により、現在の車両における運転操作の負担を軽減する機能の設定度合が設定可能な最大値である場合、この設定可能な最大値を維持するように、車両制御部３により、運転操作の負担を軽減する機能の設定を指示する。
これにより車両用表示装置１では、充分な安全性を確保し続けるようにして娯楽情報を提供することができ、安全性を向上することができる。
【００２９】
さらに制御部６は、内蔵の記憶部６Ｂに表示部２における娯楽情報の表示、非表示を示す表示状態情報を記録して保持するようにして、表示部２における娯楽情報の表示開始及び表示終了時、この記憶部６Ｂに記録した表示状態情報を更新する。また判定部６Ａにおいては、この記憶部６Ｂに記録した表示状態情報により、表示部２で娯楽情報を表示するかを判定する。
これにより車両用表示装置１では、表示状態を常時把握して、例えば走行中の道路の状況等に応じて運転操作の負担を軽減する度合いを適切に設定することができ、一段と安全性を向上することができる。
【００３０】
図２及び図３は、この記憶部６Ｂの設定に係る制御部６の処理手順を示すフローチャートであり、図２は、表示開始時の処理手順を示すフローチャートであり、図３は、表示終了時の処理手順を示すフローチャートである。
制御部６は、搭乗者により娯楽情報の表示が指示されると、図２の処理手順を開始し、娯楽情報取得部４により娯楽情報の取得を開始し（ＳＰ１−ＳＰ２）、この娯楽情報の表示部２への出力を開始し（ＳＰ３）、これにより娯楽情報の表示を開始する。
また記憶部６Ｂにおける表示状態情報を更新してこの処理手順を終了する（ＳＰ４−ＳＰ５）。
【００３１】
また搭乗者による指示により、さらには映画等の終了により、娯楽情報の表示を終了する場合、制御部６は、図３の処理手順を開始し、表示部２に表示の終了を指示し（ＳＰ１１−ＳＰ１２）、また記憶部６Ｂにおける表示状態情報を更新してこの処理手順を終了する（ＳＰ１３−ＳＰ１４）。
【００３２】
図４は、運転操作の負担を軽減する機能の設定に係る処理手順を示すフローチャートである。
制御部６は、車両より電源の供給が開始されるとこの処理手順を開始し、娯楽情報を提供するか否か判断する。ここで娯楽情報を提供する場合、運転操作の負担を軽減する機能の設定度合が設定可能な最大値であるか否か判断し、最大値でない場合、運転操作の負担を軽減する機能を増大させた後、この処理を繰り返す（ＳＰ２１−ＳＰ２２−ＳＰ２３−ＳＰ２４−ＳＰ２２）。
【００３３】
これに対して娯楽情報を提供する場合にあって、運転操作の負担を軽減する機能の設定度合が設定可能な最大値である場合、運転操作の負担を軽減する機能を設定可能な最大値に維持したまま、この処理を繰り返す（ＳＰ２１−ＳＰ２２−ＳＰ２３−ＳＰ２２）。
【００３４】
また娯楽情報を提供しない場合、何ら運転操作の負担を軽減する機能を増大させることなく、この処理を繰り返す（ＳＰ２１−ＳＰ２２）。
またこのとき、娯楽情報の提供により運転操作の負担を軽減する機能を増大させている場合にあって、ドライバーにより事前の設定に戻すように設定されている場合、運転操作の負担を軽減する機能の設定を娯楽情報の提供を開始する時点の設定に戻す。なおこの場合、事前の設定に代えて、例えば表示部２に「元の設定に戻しますか？」との確認を促すメッセージを表示し、ドライバーの指示により元の設定に戻すようにしてもよい。またさらに徐々に元の設定に戻すようにして、設定の変更に伴うドライバーの違和感を低減するようにしてもよい。
【００３５】
以上の構成によれば、娯楽情報を表示する場合、運転操作の負担を軽減する度合いを増大させることにより、特段、運転操作の負担を軽減する機能に関する操作を実行することなく、娯楽情報を安全に提供することができ、これにより運転操作の負担を軽減する機能を充分に利用していないにもかかわらず、ニュース等の娯楽情報の提供を指示する場合にあっても、適切に娯楽情報を提供することができる。
【００３６】
またさらに運転操作の負担を軽減する度合いが設定可能な最大値である場合、当該設定可能な最大値を維持することにより、充分な安全性を確保し続けるようにして娯楽情報を提供することができる。
【００３７】
またさらに娯楽情報の表示、非表示を示す表示状態情報を記憶部に記録して保持するようにして、この表示状態情報により、娯楽情報を表示するかを判定することにより、表示状態を常時把握して、運転操作の負担を軽減する度合いを適切に設定することができる。
【００３８】
〔他の実施形態〕
以上、本発明の実施に好適な具体的な構成を詳述したが、本発明は、本発明の趣旨を逸脱しない範囲で、上述の実施形態の構成を種々に変更することができる。例えば、上述の実施形態においては、娯楽情報を表示部２に出力した後に表示状態情報が更新され、娯楽情報が表示された後に娯楽情報が表示されると判定するものであったが、例えば操作部７による娯楽情報の表示指示の入力に応じて表示状態情報を更新し、実際に娯楽情報が表示される前に娯楽情報が表示されると判定し、運転操作の負担を軽減する度合いを増大してもよい。
【符号の説明】
【００３９】
１  車両用表示装置
２  表示部
３  車両制御部
４  娯楽情報取得部
５  車両情報取得部
６  制御部
６Ａ  判定部
６Ｂ  記憶部
７    操作部
【図１】
2020032805.tif 000003
【図２】
2020032805.tif 000004
【図３】
2020032805.tif 000005
【図４】
2020032805.tif 000006